(57)【特許請求の範囲】
【請求項１】
軸筒と、軸筒内に配設され芯の締付と芯の送り出しを行う芯送り出し機構と、芯送り出し機構に芯の送り出しを行わせるための操作部を備えたシャープペンシルにおいて、
芯送り出し機構と軸筒の先端との間に、芯が貫通する貫通孔を有する芯保持具を設け、該芯保持具に芯を保持する保持部を軸方向に離間して２箇所設け、前記各保持部と軸方向に同一位置で周方向に異なる位置にスリットを設け、各保持部に対応するスリットを、互いに周方向に異なる位置に配置することを特徴とするシャープペンシル。
【請求項２】
芯送り出し機構側の保持部を貫通孔の内周面に形成されて内径方向に突出したリブとし、芯保持具のリブと軸方向に同一位置でリブの無い部分にスリットを形成することを特徴とする請求項１記載のシャープペンシル。
【発明の詳細な説明】
【０００１】
【発明の属する技術分野】
本発明は、シャープペンシルに関し、特に芯を有効に使用でき残芯を短くすることができるシャープペンシルに関する。
【０００２】
【従来の技術】
従来のシャープペンシルは、軸筒と、軸筒内に配設され芯の締付と芯の送り出しを行う芯送り出し機構と、芯送り出し機構よりも先端側にあって、貫通する芯を保持する芯保持具と、芯送り出し機構に芯の送り出しを行わせるための操作部を有しており、常時は、芯は芯送り出し機構によって締付されており、芯の移動は禁止されている。筆記時に、芯を軸筒の先端より突出させる場合には、操作部を操作して、芯送り出し機構による送り出しを行わせる。このとき、芯保持具によって芯が保持されているために、芯送り出し機構による芯送り出し動作時に、所定量だけ送り出された芯が、芯送り出し機構が戻るときに一緒に後退しないようになっている。芯送り出し機構が戻って、再び芯を締付ることによって、軸筒の先端よりも突出した芯が筆圧に対しても後退することなく、筆記に供されるようになっている。
【０００３】
【発明が解決しようとする課題】
しかしながら、かかる従来のシャープペンシルでは、芯が消耗して、芯送り出し機構から軸筒の先端までの距離よりも短くなると、芯送り出し機構の締付けから解放されてしまうために、消耗した芯を有効に使用することができないという問題がある。即ち、例えば、このような消耗した芯を送り出す場合に、芯送り出し機構によって次の芯の送り出しを行い、次の芯で消耗した芯を押し出すことも可能であるが、次の芯が芯保持具によって保持されていないために芯の送り出しが完全に行われず、消耗した芯を確実に押し出すことができない場合がある。特に、上向きにして芯の送り出しを行った場合には、そのような事態になることが多い。結果として、芯送り出し機構から軸筒の先端までの距離よりも短くなった芯は、十分使用することができず、残芯となって資源の無駄使いとなっている。
【０００４】
本発明はかかる課題に鑑みなされたもので、残芯量を非常に少なくすることができるシャープペンシルを提供することをその目的とする。
【０００５】
【課題を解決するための手段】
上記目的を達成するために本発明のうち請求項１記載の発明によるシャープペンシルは、軸筒と、軸筒内に配設され芯の締付と芯の送り出しを行う芯送り出し機構と、芯送り出し機構に芯の送り出しを行わせるための操作部を備えたシャープペンシルにおいて、
芯送り出し機構と軸筒の先端との間に、芯が貫通する貫通孔を有する芯保持具を設け、該芯保持具に芯を保持する保持部を軸方向に離間して２箇所設け、前記各保持部と軸方向に同一位置で周方向に異なる位置にスリットを設け、各保持部に対応するスリットを、互いに周方向に異なる位置に配置することを特徴とする。
請求項２記載の発明は、請求項１記載のシャープペンシルにおいて、芯送り出し機構側の保持部を貫通孔の内周面に形成されて内径方向に突出したリブとし、芯保持具のリブと軸方向に同一位置でリブの無い部分にスリットを形成することを特徴とする。
【０００６】
芯が消耗して芯送り出し機構と軸筒の先端の長さよりも短くなった場合に、２つ設けた保持部のうちの、軸方向前方に設けられた保持部で消耗した芯を保持し、軸方向後方に設けられた保持部で次の芯を保持する。従って、芯送り出し機構で次の芯を送り出したときに、後方に設けられた保持部によって次の芯が確実に送り出される。従って、確実に送り出された次の芯が消耗した芯を押し出して、消耗した芯が確実に送り出される。こうして、消耗した芯を十分使用することができ、少なくとも前方に設けられた保持部が消耗した芯を保持出来る限り、使用することができ、残芯量を極めて少なくすることができる。
【０００８】
また、芯保持具に保持部を設けることにより、部品点数を増加せずに製造することができるようになる。また、軸方向に離間した２つの保持部を芯保持具に設けるために、結果として、芯保持具の軸方向の長さが長くなり、貫通する芯が芯保持具によって包囲される長さが長くなるために、芯の意図しない偏心を防ぐことができ、芯の折損を阻止することもできる。
【０００９】
【発明の実施の形態】
以下、図面を用いて本発明の実施の形態を説明する。図１ないし図３は本発明の実施形態を表す図である。
【００１０】
図において、シャープペンシルは、主に、軸筒１０と、軸筒１０内に配設され芯の締付と芯の送り出しを行う芯送り出し機構２０と、芯送り出し機構２０よりも先端側にあって、貫通する芯を保持する芯保持具５０と、芯送り出し機構に芯の送り出しを行わせるための操作部（図示略）を備えている。
【００１１】
軸筒１０は、先軸１２と、先軸１２に螺着される先具１４と、後軸（図示略）とから構成されており、先軸１２の外周面には、弾性材料からなるグリッパー１８が取り付けられている。これらの先軸１２、先具１４及び後軸は、一体部品で構成することも可能であり、またはこの実施形態よりも多数の部品で構成することも可能である。先具１４の先端の開口１４ａが、軸筒１０の先端開口となって、芯が出入するためのものとなっている。
【００１２】
また、芯送り出し機構２０は、任意の構成のものを使用することができるが、この実施形態では、芯を収容する芯収納筒２２と、芯収納筒２２の先端に固定され、芯を締付及び送り出しを行うチャック２４と、チャック２４の外周側にあってチャック２４を締付けるチャックリング２６と、チャックリング２６の後方への移動を規制するスリーブ２８と、スリーブ２８と芯収納筒２２との間にあって、芯収納筒２２とチャック２４とを後方へ付勢するチャックスプリング３０とを有している。
【００１３】
また、芯収納筒２２の後端には、操作部である後端ノックが着脱可能に連結されており、後端ノックをノックすることにより、芯送り出し機構２０の芯収納筒２２、チャック２４及びチャックリング２６が前進して、所定量づつ芯の送り出しを行うようになっている。但し、操作部は、後端ノックに限らず、軸筒１０の側面部に設けられたサイドノックとすることも可能である。
【００１４】
先具１４内には、芯保持具であるスライダー５０と、チップ５２とが収納されている。この実施形態では、チップ５２及びスライダー５０が、軸方向にスライド可能となっており、チップ５２及びスライダー５０が芯と共に先具１４の先端の開口１４ａよりも突出または先端の開口１４ａ内に退没することができるようになっている。但し、チップ５２及びスライダー５０が軸方向にスライド可能である必要はなく、軸方向にスライドしないタイプのシャープペンシルにおいても同様に適用できることは言うまでもない。
【００１５】
図２及び図３に拡大して示すように、このスライダー５０には、芯が貫通する貫通孔５０ａが形成された略筒状の本体５０ｂと、本体５０ｂの後端部に本体５０ｂの外側に同心的に設けられた外筒部５０ｃと、本体５０ｂと外筒部５０ｃとを径方向で連結する連結部５０ｄとを有している。そして、本体５０ｂの先端部には、内径方向に突出した羽根５０ｅが形成されており、本体５０ｂの後端部には、その貫通孔５０ａの内周面に内径方向に突出したリブ５０ｆが形成されている。また、スライダー５０のリブ５０ｆが形成された本体５０ｂの後端部のリブ５０ｆの無い部分には、スリット５０ｈが形成されており、これによって、リブ５０ｆが径方向に弾性的に変位可能となっている。同様に外筒部５０ｃの外周面には、外径方向に突出したリブ５０ｇが形成されて、外筒部５０ｃのリブ５０ｇの無い部分には、スリット５０ｉが形成されており、これによって、リブ５０ｇが径方向に弾性的に変位可能となっている。
【００１６】
以上の羽根５０ｅとリブ５０ｆは、貫通孔５０ａを貫通する芯に接触して、適度な保持力で芯を保持している。また、外筒部５０ｃのリブ５０ｇは、先具１４の内周面に接触して、適度な保持力で先具１４との位置関係を保持している。羽根５０ｅは、リブ５０ｆと同様のリブにすることも可能である。また、スリット５０ｈ、５０ｉは、必ずしも必要ではないが、これらのスリット５０ｈ、５０ｉを設けることにより、安定した保持力を得ることができる。
【００１７】
以上のように構成されるシャープペンシルにおいて、芯が消耗していない場合には、芯は、芯送り出し機構２０のチャック２４によって締付けられた部分よりも先端の部分において、スライダー５０の羽根５０ｅとリブ５０ｆとによって保持されており、その他の点では、従来のシャープペンシルと同じであるため、説明を省略する。芯が消耗して、図示したように、その長さが、芯送り出し機構２０のチャック２４と先具１４の先端開口１４ａの長さよりも短くなると、消耗した芯Ｌ１はスライダー５０の羽根５０ｅによって保持されて、次の芯Ｌ２はスライダー５０のリブ５０ｆによって保持される。従って、消耗した芯Ｌ１は、羽根５０ｅによって落下することがないようになっている。この状態で、操作部を操作して、芯送り出し機構２０によって次の芯Ｌ２の送り出しを行うと、次の芯Ｌ２はスライダー５０のリブ５０ｆによって保持されるために、チャック２４が戻る際に、チャック２４と共に引き戻されることはなく、確実に所定量だけ送り出される。従って、その送り出された分だけ、消耗した芯Ｌ１を押し出すために、結果として、消耗した芯Ｌ１を確実に送り出すことができる。シャープペンシルを上向きにして送り出しを行った場合でも、同様に確実に送り出される。
【００１８】
こうして、消耗した芯Ｌ１を使用することができるので、残芯量を限りなく少なくすることができる。羽根５０ｅとリブ５０ｆとの軸方向の長さを十分長くとることができるようにすると、消耗した芯Ｌ１と次の芯Ｌ２を保持するのに好ましく、それによって、結果としてスライダー５０の長さが長くなるために、芯が消耗していない場合でも、スライダー５０によって、芯が保護されて、その意図しない偏心などが防止されるために、芯の折損などを防止することができる。但し、この実施形態のように保持部としての羽根５０ｅとリブ５０ｆとを１つの部品に設ける代わりに、それぞれ独立した別個の部品に設けることも可能である。
【００１９】
【発明の効果】
以上説明したように、本発明によれば、芯が消耗した場合に、軸方向に離間して２箇所設けた保持部のうちの前方の保持部が消耗した芯を保持し、後方の保持部が次の芯を保持することができるために、次の芯を確実に芯送り出し機構によって送り出すことができ、消耗した芯を押し出して、送り出すことができるようになる。こうして、消耗した芯を十分使用することができ残芯量を極めて少なくすることができる。
【図面の簡単な説明】
【図１】本発明の実施形態によるシャープペンシルの要部部分を表す縦断面図である。
【図２】図１の先具とスライダーの拡大断面図である。
【図３】図２の平面図である。
【符号の説明】
１０  軸筒
２０  芯送り出し機構
５０  スライダー（芯保持具）
５０ｅ  羽根（保持部）
５０ｆ  リブ（保持部）
【図１】
0004676067.tif 000002
【図２】
0004676067.tif 000003
【図３】
0004676067.tif 000004